(57)【特許請求の範囲】
【請求項１】
主信号処理部から主信号を供給される無線機器制御部と無線機器部とを接続した無線基地局装置の遅延測定方法において、
前記無線機器制御部に試験治具を接続し、
前記無線機器制御部にて主信号フレームの先頭パターンを検出して検出信号を前記試験治具に供給すると共に、前記主信号フレームから変換する無線信号フレームの制御信号に前記主信号フレームの先頭位置を示す特定の制御信号を設定して前記無線機器部に供給し、
前記無線機器制御部にて前記無線機器部で折り返された前記無線信号フレームから変換する主信号フレームに前記無線信号フレームの特定の制御信号に同期して先頭パターンを挿入して前記試験治具に供給し、
前記試験治具にて前記主信号処理部から前記無線機器制御部に前記主信号フレームが供給されてから前記検出信号が供給されるまでの第１の時間と、前記検出信号が供給されてから前記主信号フレームの前記特定の制御信号に同期した先頭パターンが得られるまでの第２の時間を測定して、前記無線機器制御部と前記無線機器部における遅延時間を測定する
ことを特徴とする遅延測定方法。
【請求項２】
請求項１記載の遅延測定方法において、
前記無線機器部に可変遅延手段を設け、
前記試験治具から前記可変遅延手段の遅延量を設定する
ことを特徴とする遅延測定方法。
【請求項３】
主信号処理部から主信号を供給される無線機器制御部と無線機器部とを接続した無線基地局装置において、
前記無線機器制御部は、
主信号フレームの先頭パターンを検出して検出信号を試験治具に供給する検出手段と、
前記主信号フレームから変換する無線信号フレームの制御信号に前記主信号フレームの先頭位置を示す特定の制御信号を設定して前記無線機器部に供給する第１変換手段と、
前記無線機器部で折り返された前記無線信号フレームから変換する主信号フレームに前記無線信号フレームの特定の制御信号に同期して先頭パターンを挿入して前記試験治具に供給する第２変換手段と、
を有することを特徴とする無線基地局装置。
【請求項４】
請求項３記載の無線基地局装置において、
前記無線機器部は、
前記試験治具から遅延量を設定される可変遅延手段を
有することを特徴とする無線基地局装置。
【発明の詳細な説明】
【技術分野】
【０００１】
本発明は、主信号処理部から主信号を供給される無線機器制御部と無線機器部とを接続した無線基地局装置の遅延測定方法及び無線基地局装置に関する。
【背景技術】
【０００２】
移動通信システムの無線基地局装置には、ＲＥＣ（Ｒａｄｉｏ  Ｅｑｕｉｐｍｅｎｔ  Ｃｏｎｔｒｏｌ：無線機器制御）部と、張り出し局としての一又は複数のＲＥ（Ｒａｄｉｏ  Ｅｑｕｉｐｍｅｎｔ：無線機器）部に分離し、ＲＥＣ部と各ＲＥ部との間をケーブルで接続した構成のものがある。
【０００３】
ここで、ＲＥＣ部と各ＲＥ部との間は、ＣＰＲＩ（Ｃｏｍｍｏｎ  Ｐｕｂｌｉｃ  Ｒａｄｉｏ  Ｉｎｔｅｒｆａｃｅ）で規定される光又は電気ケーブルにより接続される。そして、ＲＥＣ部と各ＲＥ部との間の信号遅延量は同一（最大遅延時間）となるようにＲＥＣ部内で調整される。
【０００４】
図１は、従来の無線基地局装置の一例の構成図を示す。同図中、無線基地局装置は、主信号処理部１１と、ＲＥＣ部１２と、ＲＥ部１３を有している。ＲＥＣ部１２とＲＥ部１３の間はケーブル１４で接続されている。
【０００５】
ＲＥＣ部１２内の遅延測定部１２ａは、端子ＡからＲＥ部１３内で折り返され端子Ｂまでの経路による信号の遅延を測定し、測定した遅延時間に応じて遅延調整部１２ｂ，１２ｃの遅延時間を設定している。なお、遅延測定部１２ａは測定した遅延時間と遅延調整部１２ｂ，１２ｃの遅延時間の総和が一定時間（最大遅延時間）となるように遅延調整部１２ｂ，１２ｃを調整する。
【０００６】
また、出荷試験での遅延測定部１２ａ及び遅延調整部１２ｂ，１２ｃの機能の確認方法としては、図２（Ａ）に示すように、ケーブル１４として短いケーブル１４ａを用いた状態で遅延調整部１２ｂ，１２ｃの遅延時間を決定するレジスタの値を読み出して確認し、更に、図２（Ｂ）に示すように、ケーブル１４として長いケーブル１４ｂを用いた状態で遅延調整部１２ｂ，１２ｃの遅延時間を決定するレジスタの値を読み出して確認して、遅延測定部１２ａ及び遅延調整部１２ｂ，１２ｃの機能を確認している。
【０００７】
なお、制御装置と複数無線基地局装置間を接続するケーブルの長さによる伝送遅延量をピンポン伝送信号により自動測定し、ピンポン伝送信号のタイミングを調整して各基地局へ到着する信号のタイミングを同一とするように制御する技術が知られている（例えば特許文献１参照）。
【特許文献１】特開２００５−１５０９３１号公報
【発明の開示】
【発明が解決しようとする課題】
【０００８】
図１に示す従来の構成では、主信号処理部１１においては、ＲＥ部１３でＲＥＣ部１２から供給される主信号を折り返してＲＥＣ部１２に供給した場合に、主信号処理部１１からＲＥＣ部１２に出力した主信号が主信号処理部１１に戻るまでのＲＥＣ部１２及びＲＥ部１３で生じる遅延量がどの程度であるかをチェックできなかった。
【０００９】
このため、ＲＥＣ部１２及びＲＥ部１３で生じる遅延量が許容量を超えるようなフィールド障害（運用中の障害）が発生した場合に、主信号処理部１１で主信号が得られないために主信号断等のエラーが発生するものの、遅延障害によるエラーという原因の究明ができないという問題があった。
【００１０】
また、図２に示す方法で遅延測定部１２ａ及び遅延調整部１２ｂ，１２ｃの機能を確認する場合には、図２（Ａ）に示す短いケーブル１４ａと、図２（Ｂ）に示す長いケーブル１４ｂの交換を手作業で行い、それぞれの状態で遅延調整部１２ｂ，１２ｃのレジスタの値を読み出さなければならないため、試験効率が悪いという問題があった。
【００１１】
開示の方法は、無線機器制御部と無線機器部の信号の遅延量を簡単な構成で測定できることを目的とする。
【課題を解決するための手段】
【００１２】
開示の一実施態様による遅延測定方法は、主信号処理部から主信号を供給される無線機器制御部と無線機器部とを接続した無線基地局装置の遅延測定方法において、
前記無線機器制御部に試験治具を接続し、
前記無線機器制御部にて主信号フレームの先頭パターンを検出して検出信号を前記試験治具に供給すると共に、前記主信号フレームから変換する無線信号フレームの制御信号に前記主信号フレームの先頭位置を示す特定の制御信号を設定して前記無線機器部に供給し、
前記無線機器制御部にて前記無線機器部で折り返された前記無線信号フレームから変換する主信号フレームに前記無線信号フレームの特定の制御信号に同期して先頭パターンを挿入して前記試験治具に供給し、
前記試験治具にて前記主信号処理部から前記無線機器制御部に前記主信号フレームが供給されてから前記検出信号が供給されるまでの第１の時間と、前記検出信号が供給されてから前記主信号フレームの前記特定の制御信号に同期した先頭パターンが得られるまでの第２の時間を測定して、前記無線機器制御部と前記無線機器部における遅延時間を測定する。
【００１３】
開示の一実施態様による無線基地局装置は主信号処理部から主信号を供給される無線機器制御部と無線機器部とを接続した無線基地局装置において、
前記無線機器制御部は、
主信号フレームの先頭パターンを検出して検出信号を試験治具に供給する検出手段と、
前記主信号フレームから変換する無線信号フレームの制御信号に前記主信号フレームの先頭位置を示す特定の制御信号を設定して前記無線機器部に供給する特定制御信号設定手段と、
前記無線機器部で折り返された前記無線信号フレームから変換する主信号フレームに前記無線信号フレームの特定の制御信号に同期して先頭パターンを挿入して前記試験治具に供給する先頭パターン挿入手段と、を有する。
【発明の効果】
【００１４】
本実施形態によれば、無線機器制御部と無線機器部の信号の遅延量を簡単な構成で測定できる。
【発明を実施するための最良の形態】
【００１５】
以下、図面に基づいて実施形態を説明する。
【００１６】
＜疑似遅延量設定＞
図３は、疑似遅延量設定時の試験治具と無線基地局装置の一実施形態の構成を示す。同図中、試験治具２０はＲＥＣ部３０に接続され、ＲＥＣ部３０はケーブル４０によりＲＥ部５０に接続されている。なお、ＲＥ部５０は無線端末６０と無線接続する。
【００１７】
試験治具２０は、疑似遅延量を設定する試験設定送信部２１と、遅延量をチェックする遅延測定値チェック部２２を有している。
【００１８】
試験設定送信部２１は、ＲＥ部５０に設定する疑似遅延量を、制御線３２ａを通して信号変換部３２に供給する。これにより、信号変換部３２は遅延量設定要求のＣＰＲＩフレームを生成して遅延測定部３３からケーブル４０を経由してＲＥ部５０に供給する。
【００１９】
ＲＥ部５０は、遅延設定部５１，可変遅延バッファ５３，５４，折り返し線路５５を有している。遅延設定部５１はＲＥＣ部３０から供給されるＣＰＲＩフレームから遅延量設定要求を抽出し、この遅延量設定要求で指定された疑似遅延量を可変遅延バッファ５３，５４それぞれに設定する。
【００２０】
また、遅延設定部５１は、可変遅延バッファ５３，５４に設定した疑似遅延量を通知するための遅延量設定応答のＣＰＲＩフレームを生成しケーブル４０を経由してＲＥＣ部３０に返却する。この遅延量設定応答のＣＰＲＩフレームは遅延測定部３３から信号変換部３２に供給され、信号変換部３２は遅延量設定応答のＣＰＲＩフレームから疑似遅延量を抽出し、この疑似遅延量を表す制御信号を、制御線３２ａを通して試験設定送信部２１に返送する。
【００２１】
また、例えばＨＤＬＣ（Ｈｉｇｈ−Ｌｅｖｅｌ  Ｄａｔａ  Ｌｉｎｋ  Ｃｏｎｔｒｏｌ）フォーマット又はイーサネット（登録商標）フォーマットの主信号フレームが、遅延測定値チェック部２２からＲＥＣ部３０に供給され、遅延調整部３１を経て信号変換部３２に供給される。信号変換部３２は例えばＨＤＬＣフォーマットの主信号フレームをＣＰＲＩフォーマットの無線信号フレームであるＣＰＲＩフレームに変換（マッピング）し、遅延測定部３３からケーブル４０を経由してＲＥ部５０に供給する。
【００２２】
ＲＥ部５０ではＣＰＲＩフレームから主信号を取出してアンテナから出力し、また、ＣＰＲＩフレームからＣＰＲＩ制御信号を取出して可変遅延バッファ５３に供給する。このＣＰＲＩ制御信号は可変遅延バッファ５３，折り返し線路５５，可変遅延バッファ５４それぞれを経たのち、アンテナで受信した主信号をＲＥＣ部３０に供給するＣＰＲＩフレームのＣＰＲＩ制御信号とされて、ケーブル４０を経由してＲＥＣ部３０に供給される。
【００２３】
このＣＰＲＩフレームはＲＥＣ部３０の遅延測定部３３から信号変換部３２に供給され、例えばＨＤＬＣフォーマットの遅延量設定応答に変換（デマッピング）され、遅延調整部３４を経て試験治具２０の遅延測定値チェック部２２に供給される。
【００２４】
＜遅延測定＞
図４は、遅延測定時の主信号処理カードと無線基地局装置の一実施形態の構成を示す。同図中、図３と同一部分には同一符号を付す。
【００２５】
図４において、試験治具２０及び複数の主信号処理カード７０はＲＥＣ部３０に接続され、ＲＥＣ部３０はケーブル４０によりＲＥ部５０に接続されている。
【００２６】
複数の主信号処理カード７０のうちいずれか１つで発生した同期制御用の基準信号は他の主信号処理カード７０及び試験治具２０及びＲＥＣ部３０それぞれに供給され、主信号処理カード７０及び試験治具２０は同期が取られている。
【００２７】
ＲＥＣ部３０内の主信号選択部３５は、複数の主信号処理カード７０から供給される主信号を選択して遅延調整部３１に供給し、また、他の主信号処理カードからの主信号を図示しない他のＣＰＲＩリンクへ供給する。なお、主信号は例えば数ｍｓｅｃ〜１０ｍｓｅｃ周期のフレームであり、各フレームの先頭には先頭パターンとしてのフレーム同期パターンが設けられている。
【００２８】
遅延調整部３１は、フレーム同期パターンを抽出して遅延することなく信号変換部３２に供給すると共に、フレーム同期パターンを含む主信号フレームを遅延して信号変換部３２に供給する。
【００２９】
信号変換部３２は、例えばＨＤＬＣフォーマットの主信号フレームをＣＰＲＩフォーマットの無線信号フレームであるＣＰＲＩフレームに変換（マッピング）し、下り信号として遅延測定部３３からケーブル４０を経由してＲＥ部５０に供給する。
【００３０】
この際、主信号フレームのフレーム同期パターンはＣＰＲＩフレームにマッピングされないが、信号変換部３２はＣＰＲＩフレーム内の制御信号のタイミングを、遅延調整部３１で抽出され、かつ、遅延されていないフレーム同期パターンのタイミングに同期させる。これは、無線端末６０との間の無線接続を維持するためである。また、信号変換部３２は主信号フレーム内のフレーム同期パターンを検出したときにフレーム先頭位置検出信号を発生して遅延測定部３３に供給する。
【００３１】
遅延測定部３３は、フレーム先頭位置検出信号から先頭パターン検出パルスを生成し、この先頭パターン検出パルスを、制御線３３ａを用いて試験治具２０に供給する。
【００３２】
また、ＲＥ部５０から供給される上り信号としてのＣＰＲＩフレームは遅延測定部３３から信号変換部３２に供給され、主信号フレームに変換（デマッピング）され、遅延調整部３４に供給される。
【００３３】
遅延調整部３４は、主信号フレームを遅延して主信号選択部３６に供給する。なお、遅延調整部３１，３４は予め設定されている最大遅延時間（システムパラメータ値）に基づいて遅延量を調整している。
【００３４】
主信号選択部３６は、遅延調整部３４及び図示しない他のＣＰＲＩリンクから供給される主信号を選択して複数の主信号処理カード７０のいずれかに供給する。この時、主信号選択部３６は遅延調整部３４から供給される主信号を複数の主信号処理カード７０のいずれかに供給すると共に試験治具２０に供給する。
【００３５】
図５は、遅延測定時の主信号処理カードと無線基地局装置の一実施形態の変形例の構成を示す。ここで、図４と異なる点は、タイミング生成部８０で生成したタイミング信号を試験治具２０及び主信号処理カード７０に供給し、試験治具２０と主信号処理カード７０との同期を取っている点である。ＲＥＣ部３０には主信号処理カード７０で生成した基準信号を供給している。
【００３６】
＜遅延測定の説明＞
図６乃至図８は、図５の各部の信号タイミングチャートを示す。図７及び図８においては図６の時間軸を拡大して示している。
【００３７】
この遅延測定時には、ＲＥ部５０の可変遅延バッファ５３，５４それぞれの遅延量は０に設定する。
【００３８】
ここで、主信号処理カード７０においては、図６（Ａ）及び図７（Ａ）に示す基準信号と、図６（Ｂ）及び図７（Ｂ）に示す主信号のフレーム先頭にあるフレーム同期パターンは同一タイミングとされている。基準信号は遅延することなくＲＥＣ部３０の各部に供給されるが、主信号は主信号選択部３５で遅延され、遅延調整部３１に供給される主信号のフレーム先頭のフレーム同期パターンは図６（Ｃ）及び図７（Ｃ）に示すようになる。
【００３９】
更に、主信号は遅延調整部３１，信号変換部３２で遅延されるため、遅延測定部３３における主信号の先頭位置は図６（Ｄ）及び図７（Ｄ）に示すようになる。図７（Ｄ）では主信号の先頭位置は基準信号に対し１１バイト分だけ遅れている。
【００４０】
遅延測定部３３は、図６（Ｄ）及び図７（Ｄ）における主信号の先頭位置において、図６（Ｅ）及び図７（Ｅ）に示す先頭パターン検出パルスを生成して試験治具２０に供給する。
【００４１】
試験治具２０では、基準信号のタイミングから先頭パターン検出パルスのタイミングまでの時間を計時することにより、主信号選択部３５，遅延調整部３１，信号変換部３２による主信号の遅延量Ａを知ることができる。
【００４２】
信号変換部３２では、主信号フレーム（フレーム同期パターンを除く）をＣＰＲＩフレーム（無線信号フレーム）にマッピングする。ここで、図８（Ａ）には、図７（Ｃ）のフレーム同期パターンの位置と図７（Ｄ）の主信号の先頭位置を共に示している。
【００４３】
信号変換部３２は主信号をＣＰＲＩフレームにマッピングする際には、図８（Ａ）に示すフレーム同期パターンの位置に同期させて、図８（Ｂ）に梨地で示すＣＰＲＩ制御信号を設定し、これを基準として所定周期でＣＰＲＩ制御信号を設定し、ＣＰＲＩ制御信号の間に主信号をマッピングしている。なお、図８（Ｂ）に梨地で示すフレーム先頭のＣＰＲＩ制御信号とフレーム先頭以外のＣＰＲＩ制御信号とは、ＣＰＲＩ制御信号の一部のコードが異なっており、フレーム先頭のＣＰＲＩ制御信号とフレーム先頭以外のＣＰＲＩ制御信号とを識別することができる。
【００４４】
ＣＰＲＩフレームはケーブル４０及びＲＥ部５０で遅延され、再び遅延測定部３３に供給される。遅延測定部３３に供給されるＣＰＲＩフレームは図６（Ｆ）及び図８（Ｃ）に示すようになる。
【００４５】
更に、信号変換部３２でＣＰＲＩフレームから主信号フレームにデマッピングされる。その際に、フレーム先頭のＣＰＲＩ制御信号のタイミングでフレーム同期パターンを挿入する。
【００４６】
このフレーム同期パターンを挿入した主信号フレームは遅延調整部３４で遅延されて図６（Ｇ）及び図８（Ｄ）に示すようになり、更に、主信号選択部３６から試験治具２０に供給される際の固定遅延量だけ遅延されて図６（Ｈ）及び図８（Ｅ）に示すようになる。
【００４７】
試験治具２０では、図７（Ｅ）に示す先頭パターン検出パルスのタイミングから図６（Ｈ）及び図８（Ｅ）に示す主信号フレームの先頭パターンを検出したタイミングまでの時間を計時することにより、ケーブル４０，ＲＥ部５０の折り返し線路５５，遅延測定部３３，信号変換部３２，遅延調整部３４，主信号選択部３６による主信号の遅延量Ｂを知ることができる。
【００４８】
なお、図６（Ｅ）に示す遅延量Ａと遅延量Ｂの重なった部分は、図６（Ｄ）に示す遅延調整部３１での遅延があるのに対し、図８（Ｂ）のフレーム先頭のＣＰＲＩ制御信号の位置が、図８（Ａ）の主信号の先頭位置と異なるために生じている。このため、遅延調整部３１での遅延量を含めたＲＥＣ部３０，ケーブル４０，ＲＥ部５０の遅延量は、正確には遅延量（Ａ＋Ｂ）である。
【００４９】
このため、試験治具２０で、遅延量Ａと遅延量Ｂを加算することにより、ＲＥＣ部３０とケーブル４０とＲＥ部５０の遅延量を正確に知ることができる。
【００５０】
＜遅延チェック処理のフローチャート＞
図９は、試験治具２０が実行する遅延チェック処理のフローチャートを示す。同図中、ステップＳ１で試験治具２０を立ち上げ、ステップＳ２で基準信号のタイミングから先頭パターン検出パルスのタイミングまでの時間を計時して遅延量Ａを算出する。
【００５１】
また、ステップＳ３で図７（Ｅ）に示す先頭パターン検出パルスのタイミングから図６（Ｈ）及び図８（Ｅ）に示す主信号フレームの先頭パターンを検出したタイミングまでの時間を計時して遅延量Ｂを算出する。更に、ステップＳ４で遅延量Ａと遅延量Ｂを加算してＲＥＣ部３０とケーブル４０の遅延量（Ａ＋Ｂ）を算出する。
【００５２】
ステップＳ５で遅延量（Ａ＋Ｂ）をシステムパラメータとして与えられている最大遅延時間と比較し、遅延量（Ａ＋Ｂ）が最大遅延時間に主信号選択部３５，３６の固定遅延量を加算した値と略同一でなければステップＳ６で遅延量不可（ＮＧ）のログ情報を収集して、この処理を終了する。
【００５３】
一方、遅延量（Ａ＋Ｂ）が最大遅延時間に主信号選択部３５，３６の固定遅延量を加算した値と略同一であればステップＳ７で遅延量可（ＯＫ）のログ情報を収集して、この処理を終了する。
【００５４】
＜疑似遅延量可変チェック処理のフローチャート＞
図１０は、試験治具２０が実行する疑似遅延量可変チェック処理のフローチャートを示す。なお、同図中、ステップＳ１１で試験治具２０を立ち上げ、ステップＳ１２で可変遅延バッファ５３，５４の疑似遅延量を０に設定する。
【００５５】
ステップＳ１３で、基準信号のタイミングから先頭パターン検出パルスのタイミングまでの時間を計時して遅延量Ａを算出し、更に遅延量Ｂを算出し、遅延量（Ａ＋Ｂ）を算出する。
【００５６】
ステップＳ１４で遅延量（Ａ＋Ｂ）を、最大遅延時間に主信号選択部３５，３６の固定遅延量を加算した値と比較して、略一致するか否かを判別する。一致した場合は、ステップＳ１５で疑似遅延量が予め設定されている最大値であるか否かを判別し、疑似遅延量が最大値より小さい場合にはステップＳ１６に進む。
【００５７】
ステップＳ１６では疑似遅延量を所定量αだけ増加させて可変遅延バッファ５３，５４に設定してステップＳ１３に進む。
【００５８】
ステップＳ１５で疑似遅延量が予め設定されている最大値以上であればステップＳ１７で遅延量可（ＯＫ）のログ情報を収集して、この処理を終了する。
【００５９】
ステップＳ１４で遅延量（Ａ＋Ｂ）を、最大遅延時間に主信号選択部３５，３６の固定遅延量を加算した値と一致しない場合には、ステップＳ１６で遅延量不可（ＮＧ）のログ情報を収集して、この処理を終了する。
【００６０】
図１１は、疑似遅延量を０に設定した場合の無線基地局装置各部の遅延量を示す。同図中、Ｔ１は主信号選択部３５の遅延を表し、Ｔ２ａは遅延調整部３１の遅延を表し、Ｔ３ａ及びＴ５ａはケーブル４０及び可変遅延バッファ５３，５４の疑似遅延量（＝０）による遅延を表し、Ｔ４ａは疑似遅延量を含まないＲＥ部５０の遅延を表し、Ｔ６ａは遅延調整部３４の遅延を表し、Ｔ７は主信号選択部３６の遅延を表している。
【００６１】
図１２は、疑似遅延量を最大値に設定した場合の無線基地局装置各部の遅延量を示す。同図中、Ｔ１は主信号選択部３５の遅延を表し、Ｔ２ｂは遅延調整部３１の遅延を表し、Ｔ３ｂ及びＴ５ｂはケーブル４０及び可変遅延バッファ５３，５４の疑似遅延量（＝０）による遅延を表し、Ｔ４ｂは可変遅延バッファ５３，５４の疑似遅延量を含まないＲＥ部５０の遅延を表し、Ｔ６ｂは遅延調整部３４の遅延を表し、Ｔ７は主信号選択部３６の遅延を表している。
【００６２】
ここで、遅延調整部３１，３４の遅延量が正常に調整されていれば、Ｔ２ａ＋Ｔ３ａ＋Ｔ４ａ＋Ｔ５ａ＋Ｔ６ａ＝最大遅延時間（システムパラメータ値）であり、かつ、Ｔ２ｂ＋Ｔ３ｂ＋Ｔ４ｂ＋Ｔ５ｂ＋Ｔ６ｂ＝最大遅延時間（システムパラメータ値）の関係となる。
【００６３】
＜ＲＥＣ部への試験治具の取付け＞
次に、ＲＥＣ部３０に対する試験治具２０の取付け方法について説明する。
【００６４】
図１３に示す試験治具取付けの第１実施形態では、ＲＥＣ部３０に接続される主信号処理カード７０−１〜７０−ｎのうち、主信号処理カード７０−ｎの代りに試験治具２０をＲＥＣ部３０に接続している。
【００６５】
図１４に示す試験治具取付けの第２実施形態では、ＲＥＣ部３０に接続される主信号処理カード７０−１〜７０−ｎのうち、予備の主信号処理カード７０−ｎに対して並列に試験治具２０をＲＥＣ部３０に接続している。通常動作時には予備の主信号処理カード７０−ｎは使用されないため、実質的に試験治具２０がＲＥＣ部３０に接続された状態となる。
【００６６】
図１５に示す試験治具取付けの第３実施形態では、主信号処理カード７１−１〜７１−ｎそれぞれは試験治具機能２５を有している。試験治具機能２５は試験治具２０としての全ての機能である。通常時には予備の主信号処理カード７１−ｎは使用されないため、主信号処理カード７１−ｎ内の試験治具機能２５をＲＥＣ部３０に接続してチェック処理を行う。
【００６７】
このように、上記実施形態によれば、試験治具２０では、主信号を止めることなく、遅延量Ａ、及び遅延量Ｂを求め、ＲＥＣ部３０とケーブル４０とＲＥ部５０の遅延量（Ａ＋Ｂ）を正確に測定することができ、フィールド運用中のＲＥＣ部３０について、主信号処理部７０に試験治具２０を搭載するか、あるいは、主信号処理部７０の代わりに試験治具２０を接続又は追加することで、運用中でも遅延測定が可能となる。
【００６８】
また、ＲＥＣ部３０内に試験機能があると、ＲＥＣ部３０自体の信頼性に依存するので、本当に正しい測定をしているのかが分からなくなるが、試験治具２０とＲＥＣ部３０とが独立しているため、ＲＥＣ部３０，ＲＥ部５０間について客観的な試験を行うことができる。
【００６９】
更に、可変遅延バッファ５３，５４の疑似遅延量を設定することでケーブル４０の遅延量を擬似的に変更することができ、また、試験治具２０で上記疑似遅延量を遅延量設定応答として確認することができる。
（付記１）
主信号処理部から主信号を供給される無線機器制御部と無線機器部とを接続した無線基地局装置の遅延測定方法において、
前記無線機器制御部に試験治具を接続し、
前記無線機器制御部にて主信号フレームの先頭パターンを検出して検出信号を前記試験治具に供給すると共に、前記主信号フレームから変換する無線信号フレームの制御信号に前記主信号フレームの先頭位置を示す特定の制御信号を設定して前記無線機器部に供給し、
前記無線機器制御部にて前記無線機器部で折り返された前記無線信号フレームから変換する主信号フレームに前記無線信号フレームの特定の制御信号に同期して先頭パターンを挿入して前記試験治具に供給し、
前記試験治具にて前記主信号処理部から前記無線機器制御部に前記主信号フレームが供給されてから前記検出信号が供給されるまでの第１の時間と、前記検出信号が供給されてから前記主信号フレームの前記特定の制御信号に同期した先頭パターンが得られるまでの第２の時間を測定して、前記無線機器制御部と前記無線機器部における遅延時間を測定する
ことを特徴とする遅延測定方法。
（付記２）
付記１記載の遅延測定方法において、
前記無線機器部に可変遅延手段を設け、
前記試験治具から前記可変遅延手段の遅延量を設定する
ことを特徴とする遅延測定方法。
（付記３）
主信号処理部から主信号を供給される無線機器制御部と無線機器部とを接続した無線基地局装置において、
前記無線機器制御部は、
主信号フレームの先頭パターンを検出して検出信号を前記試験治具に供給する検出手段と、
前記主信号フレームから変換する無線信号フレームの制御信号に前記主信号フレームの先頭位置を示す特定の制御信号を設定して前記無線機器部に供給する第１変換手段と、
前記無線機器部で折り返された前記無線信号フレームから変換する主信号フレームに前記無線信号フレームの特定の制御信号に同期して先頭パターンを挿入して前記試験治具に供給する第２変換手段と、
を有することを特徴とする無線基地局装置。
（付記４）
付記３記載の無線基地局装置において、
前記無線機器部は、
前記試験治具から遅延量を設定される可変遅延手段を
有することを特徴とする無線基地局装置。
（付記５）
付記３又は４記載の無線基地局装置において、
前記無線機器制御部は、
前記主信号処理部から供給される主信号フレームの遅延量を調整して出力する第１遅延調整手段と、
前記第２変換手段から供給される主信号フレームの遅延量を調整して出力する第２遅延調整手段と、
を有することを特徴とする無線基地局装置。
【図面の簡単な説明】
【００７０】
【図１】従来の無線基地局装置の一例の構成図である。
【図２】従来の遅延測定機能の確認方法を説明するための図である。
【図３】疑似遅延量設定時の試験治具と無線基地局装置の一実施形態の構成を示す図である。
【図４】遅延測定時の主信号処理カードと無線基地局装置の一実施形態の構成を示す図である。
【図５】遅延測定時の主信号処理カードと無線基地局装置の一実施形態の変形例の構成を示す図である。
【図６】図５の各部の信号タイミングチャートである。
【図７】図５の各部の信号タイミングチャートである。
【図８】図５の各部の信号タイミングチャートである。
【図９】試験治具が実行する遅延チェック処理のフローチャートである。
【図１０】試験治具が実行する疑似遅延量可変チェック処理のフローチャートである。
【図１１】疑似遅延量を０に設定した場合の無線基地局装置各部の遅延量を示す図である。
【図１２】疑似遅延量を最大値に設定した場合の無線基地局装置各部の遅延量を示す図である。
【図１３】試験治具取付けの第１実施形態を示す図である。
【図１４】試験治具取付けの第２実施形態を示す図である。
【図１５】試験治具取付けの第３実施形態を示す図である。
【符号の説明】
【００７１】
２０  試験治具
２１  試験設定送信部
２２  遅延測定値チェック部
３０  ＲＥＣ部
３１，３４  遅延調整部
３２  信号変換部
３３  遅延測定部
３５，３６  主信号選択部
４０  ケーブル
５０  ＲＥ部
５１  遅延設定部
５３，５４  可変遅延バッファ
５５  折り返し線路
６０  無線端末
７０  主信号処理カード
８０  タイミング生成部
【図１】
0005167972.tif 000002
【図２】
0005167972.tif 000003
【図３】
0005167972.tif 000004
【図４】
0005167972.tif 000005
【図５】
0005167972.tif 000006
【図６】
0005167972.tif 000007
【図７】
0005167972.tif 000008
【図８】
0005167972.tif 000009
【図９】
0005167972.tif 000010
【図１０】
0005167972.tif 000011
【図１１】
0005167972.tif 000012
【図１２】
0005167972.tif 000013
【図１３】
0005167972.tif 000014
【図１４】
0005167972.tif 000015
【図１５】
0005167972.tif 000016